(57)【要約】【課題】本発明では、玄関ドアをうっかりとして施錠せずに外出することがあった場合に、家屋内に人が居るのを監視する人感知センサと電子ロック錠の錠センサの施開錠検出結果を用いて家屋内に人が居ない場合に電子ロック錠の開錠状態を所定の連絡先へ通報すべくして家屋のセキュリティ機能を高めることを課題とする。【解決手段】本発明では、監視センサ１からの警報信号を受信し事前に記憶した通報先に通報する電話器２と異常状態を知らせる通報器３からなるセキュリティ機能付き電話装置において、在室を監視する人感知センサ５が所定時間不在を検出すると共に出入り口に設けた電子ロック錠７の錠センサ６が開錠を検出した場合に通報器３が電話器２を介して「開錠」を通報先へ通報すべく構成した。【選択図】　図１
2004080720.tif 000002
【特許請求の範囲】
【請求項１】
監視センサ（１）からの警報信号を受信し事前に記憶した通報先に通報する電話器（２）と異常状態を知らせる通報器（３）からなるセキュリティ機能付き電話装置において、在室を監視する人感知センサ（５）が所定時間不在を検出すると共に出入り口に設けた電子ロック錠（７）の錠センサ（６ａ），（６ｂ）が開錠を検出した場合に通報器（３）が電話器（２）を介して「開錠」を通報先へ通報すべくしたことを特徴とするセキュリティ機能付き電話装置。
【請求項２】
監視センサ（１）からの警報信号を受信し事前に記憶した通報先に通報する電話器（２）と異常状態を知らせる通報器（３）からなるセキュリティ機能付き電話装置において、公衆回線へ接続した電話器（２）が着信して所定時間経過後に通報器（３）が受信すべくすると共に電話器（２）を留守機能に設定した場合には１回目の留守応答後の短時間着信で電話器（２）が留守応答する前に通報器（３）が受信するようにしたことを特徴とするセキュリティ機能付き電話装置。
【発明の詳細な説明】
【０００１】
【産業上の利用分野】
本発明は、屋内に設置した監視センサが不審者の侵入を感知するとあらかじめ記憶していた通報先に音声或いは信号で報知するセキュリティ機能付き電話装置に関する。
【０００２】
【従来の技術】
セキュリティ機能付き電話装置は、火災が発生した場合や不審者が家屋に侵入した場合等にその異常状態を監視センサで感知して電話機能を使って所定の警備会社や消防署等へ通報するようにしたもので、家屋の所有者の携帯電話に通報するようにしたものもある。
【０００３】
また、家屋の玄関ドアに電子ロック錠を設け、この電子ロック錠を携帯電話器の信号で施錠したり開錠したり、電子ロック錠の施開錠状態を携帯電話へ通報したりするようにしたアイデアもある。
例えば特公平１０−２９２６８８号公報や特開２００２−８９１０１号公報にこのようなセキュリティ機能付き電話装置が記載されている。
【０００４】
【発明が解決しようとする課題】
本発明では、家屋内に人が居るのを監視する人感知センサと電子ロック錠の錠センサの施開錠検出結果を用いて家屋内に人が居ない場合に電子ロック錠の開錠状態を所定の連絡先へ通報すべくして家屋のセキュリティ機能を高めることを課題とする。
【０００５】
【課題を解決するための手段】
本発明では、監視センサ１からの警報信号を受信し事前に記憶した通報先に通報する電話器２と異常状態を知らせる通報器３からなるセキュリティ機能付き電話装置において、在室を監視する人感知センサ５が所定時間不在を検出すると共に出入り口に設けた電子ロック錠７の錠センサ６ａ，６ｂが開錠を検出した場合に通報器３が電話器２を介して「開錠」を通報先へ通報すべく構成した。
【０００６】
また、監視センサ１からの警報信号を受信し事前に記憶した通報先に通報する電話器２と異常状態を知らせる通報器３からなるセキュリティ機能付き電話装置において、公衆回線へ接続した電話器２が着信して所定時間経過後に通報器３が受信すべくすると共に電話器２を留守機能に設定した場合には１回目の留守応答後の短時間着信で電話器２が留守応答する前に通報器３が受信し監視状態を通報するようにした。
【０００７】
【発明の作用及び効果】
前記の構成によれば、人感知センサ５が屋内に人が居ることを検出している間は電子ロック錠７が開錠であっても通報しなく、屋内に人がいない場合は所定通報先へ通報器３が通報するので、うっかりと電子ロック錠７を施錠せずに外出したり就寝しても携帯電話等の通報先へ連絡するので、開錠のままで放置することを防ぐことが出来る。
【０００８】
また、後記の構成では、外出した後に家屋内の様子が気になって携帯電話器から自宅に電話すれば、留守機能を設定していない場合は通常の呼び出しベル回数よりも長い例えば１０回ベルが鳴った後で通報器３が暗証番号等で所有者であることを確認した後に家屋内の状態や電子ロック錠７の施開錠状態を報知することになる。
【０００９】
また、電話器２を留守機能にした場合は、この電話器２へ一度電話して留守機能を働かせて切った後に素早く再電話すれば通報器３が受信して所有者であることを確認した後に屋内状態および電子ロック錠７の施開錠状態を報知することになる。
このようにすることで、電話器としての機能を失わず屋内状態や電子ロック錠７の施開錠状態を携帯電話器等で外出先でも知ることが出来るので、うっかりして開錠状態で放置することを防ぐことが出来る。
【００１０】
【実施例】
次に、本発明の一実施例を示す図面を参照しながら説明する。
図１は、全体の構成を示すもので、電話器２に通報器３を連結していて、この通報器３はドアセンサ１２や赤外線センサからなる人感知センサ５及び煙センサ１４等からなる監視センサ１からの警報信号を入力し、警報器８を鳴動させたり電話器２へ警報信号を出力したりする。
また、通報器３は、監視センサ１の状態を電話器２を介して通報したり問い合わせに応じて回答したりする。
【００１１】
電話器２は、通報器３の出力を家屋所有者の携帯電話１５やその他知り合いや警察或いは消防署等へ登録設定した順序で順次通報する。
リモコン１６は、普段は通報器３の設定を在宅モードや外出モードに切り替えることに使い、体の不自由な人に持たせて緊急時に前記通報器３へ救助依頼信号を送れるようにするもので、監視センサ１の一種として機能する。
【００１２】
図２は、通報器３の詳細を示すもので、ボタン１２はこれを押してリモコン１６を押すことでこのリモコン１６からの信号を専用リモコンと認識するようになる。ボタン１３は、通報先の電話番号を登録するもので、これを押して電話器２で電話番号を登録する。ボタン１７は、これを押すことで通報先の電話番号を表示し、通報先表示の最後に最優先通報先を指定できるようにしている。ボタン１８は、これを押して所有者確認の暗証番号を記憶させ、警戒の入り切りを行う。在宅時には、警戒解除に設定し、外出時に警戒入りにする。
１０は入力番号等を表示する液晶表示部、１９は監視センサ１からの信号電波を受けるアンテナである。
【００１３】
図３は、電子ロック錠７の構造を示すもので、開閉するドア２０側に取り付ける駆動部２２には壁２１側に取り付ける係止具２７に対してロック用ロッド２４を出入りさせるモータ３５とギア３６及び乾電池２６を取り付けている。６ａ，６ｂはロッド２４の出入りを端部４１の位置で検出する錠センサである。４０は、ロッド２４をガイドするローラ、４２は制御用の基盤である。
３７，３８は、ドア２０が閉じ位置にあるかどうかを検出する磁気検出センサである。
【００１４】
図４は、警報信号の流れを示す制御ブロック図で、錠センサ６ａ，６ｂ、人感知センサ５、煙センサ１４及びリモコン１６等の監視センサ１から警報信号が出力され入力器４を介して警報受信器１１内の演算装置１７に入力する。演算装置１７が警報を判別し不審者侵入、火事、開錠を判断し、ＲＯＭ１８に記憶した複数の通報先１５，３０，３１，３２へ電話器２を介して異常を示す警報信号音或いは合成音声で順次送信する。
【００１５】
ＲＯＭ１８へは家屋の所有者が知り合いや警察及び携帯電話１５等の通報先１５，３０，３１，３２の電話番号を通報順位をつけて記憶する。
演算装置１７が判別する警報信号が侵入信号以外の火災や救助を求める救助依頼信号等であれば、複数の通報先１５，３０，３１，３２へ順次通報すると同時に、警報器８を直ちに鳴動するように制御する。
【００１６】
図５は、「開錠」を通知する制御のフローチャート図で、通報器３を警戒設定にする（Ｓ１）と、錠センサ６ａ，６ｂ、人感知センサ５、煙センサ１４及びリモコン１６の監視センサ１から警報信号が出力されると、演算装置１７で不審者の侵入かどうかを判断し、もし侵入信号の場合は電話器２に警報信号を送り電話器２が複数の通報先１５，３０，３１，３２へ侵入を示す侵入信号音或いは合成音声を通報順位にしたがって順次送信し、通報先から了解信号或いは了解音声が電話器２に入力し通報器３に送られると、警報器８を鳴動させる。
【００１７】
通報器３を警戒態勢にしていない（Ｓ１）と、人感知センサ５が人の存在を感知しても（Ｓ２）錠センサ６ａ，６ｂが「開」（Ｓ３）でも放置し、人感知センサ５が人を感知せずに錠センサ６ａ，６ｂが「開」ならば、「開錠」通知を通報先へ通知する。（Ｓ４）
この「開錠通知」を所有者が受けると、携帯電話等で遠隔施錠したり近くに居た場合には直接施錠したりすることになる。（Ｓ５）
【００１８】
図６は、携帯電話等で通報器３へ室内の状況や施錠したかどうかを問い合わせる場合の制御フローチャートである。
電話器２に呼び出しが入る（Ｓ１０）と、電話器２を留守設定にしていない場合（Ｓ１１）は、呼び出し音１０回を超える（Ｓ１２）と、通報器３が応答し（Ｓ１３）、暗証番号を問い合わせ（Ｓ１４）、暗証番号があっていると室内に不審者がいないことや出火が無いことの室内状況と錠の開閉状態を報告する。（Ｓ１５）この場合、暗証番号があっていないと、報告をせず電話を切ることになる。
【００１９】
電話を留守設定にした場合（Ｓ１１）は、電話がかかると電話器２がまず留守であるから伝言をどうぞとの応答し（Ｓ１６）、この応答を切ってから２０秒以内に再び電話がかかると（Ｓ１７）、電話器２が留守応答する前に通報器３が応答することになる。（Ｓ１３）
電話器２を留守設定にせず、呼び出し音１０回以内に電話を取ると、通常の電話器２としてそのまま通話出来る。（Ｓ１８）
【００２０】
電子ロック錠７を駆動する電池２６は、電力が低下すると開錠駆動が出来なくなるので、電圧が低下すると開錠操作後の所定時間だけ点灯表示したり通報先へ音声で通報したりして注意を喚起するようにしている。
【００２１】
なお、本実施例では、電話器２と通報器３が別々になっているが、電話機能と通報機能を一体に組み込んだ構成にしてもよい。
【図面の簡単な説明】
【図１】本発明の実施例における全体構成斜視図である。
【図２】本発明の実施例における一部の拡大平面図である。
【図３】本発明の実施例における一部の拡大側断面図である。
【図４】本発明の実施例における制御ブロック図である。
【図５】本発明の実施例における制御フローチャート図である。
【図６】本発明の実施例における制御フローチャート図である。
【符号の説明】
１　監視センサ
２　電話器
３　通報器
５　人感知センサ
６ａ，６ｂ　錠センサ
７　電子ロック錠
【図１】
2004080720.tif 000003
【図２】
2004080720.tif 000004
【図３】
2004080720.tif 000005
【図４】
2004080720.tif 000006
【図５】
2004080720.tif 000007
【図６】
2004080720.tif 000008